(57)【要約】【課題】窓の断熱性能を確認することができるだけでなく、リフォーム後の窓の内観および外観を容易に確認することができる窓の断熱性能展示設備の提供。【解決手段】窓の断熱性能展示設備１は、冷却手段にて内部が冷却される低温度室３と、低温度室３に隣接して配置される展示体４とを備える。展示体４には、低温度室３に設けられる断熱性能の異なる複数の窓２の内、断熱性能を向上させるリフォームを行った断熱窓２ｃが設けられる。展示体４の二つの同一の断熱窓２ｃ，２ｃの内、一方の断熱窓２ｃは、建物に設置された際の屋内側が展示体４の一方の板面側に配置され、建物に設置された際の屋外側が展示体４の他方の板面側に配置される。他方の断熱窓２ｃは、建物に設置された際の屋内側が展示体４の他方の板面側に配置され、建物に設置された際の屋外側が展示体４の一方の板面側に配置される。【選択図】図１
2020052330.tif 000002
【特許請求の範囲】
【請求項１】
外壁に断熱性能の異なる複数の窓が設けられ、冷却手段により内部が冷却される低温度室と、
前記低温度室に隣接して配置され、断熱性能の異なる前記複数の窓の内、断熱性能を向上させるリフォームを行った断熱窓が設けられた板状の展示体とを備え、
前記展示体には、二つの同一の前記断熱窓が設けられており、
二つの同一の前記断熱窓の内、一方の断熱窓は、建物に設置された際の屋内側が前記展示体の一方の板面側に配置され、建物に設置された際の屋外側が前記展示体の他方の板面側に配置され、これとは逆に、他方の断熱窓は、建物に設置された際の屋内側が前記展示体の他方の板面側に配置され、建物に設置された際の屋外側が前記展示体の一方の板面側に配置される
ことを特徴とする窓の断熱性能展示設備。
【請求項２】
二つの同一の前記断熱窓の双方において、窓枠の上枠および下枠は、窓に対して交差する方向に切断されて断面が露出している
ことを特徴とする請求項１に記載の窓の断熱性能展示設備。
【請求項３】
断熱性能の異なる前記複数の窓は、引違い窓とされており、
前記複数の窓の内、前記断熱窓とは異なる一つは、引違い窓の一方の障子と他方の障子とで断熱性能が異なっている
ことを特徴とする請求項１または請求項２に記載の窓の断熱性能展示設備。
【発明の詳細な説明】
【技術分野】
【０００１】
本発明は、異なる種類の窓の断熱性能を比較するための窓の断熱性能展示設備に関するものである。
【背景技術】
【０００２】
住宅展示場において、住宅に用いられる複数種の窓の断熱性能を体感することができるように、種々の提案がなされている。たとえば、本件出願人は、先に、下記特許文献１に開示される断熱性能比較体験装置を提案している。この断熱性能比較体験装置では、遮熱断熱ペアガラスが嵌め込まれた断熱窓サッシが設けられた第二断熱外壁、および単板ガラスが嵌め込まれた通常窓サッシが設けられた第二通常外壁に隣接して、第二冷却室が配置されている。従って、断熱窓サッシおよび通常窓サッシについて、それぞれの冷輻射の違いを体感することができる。
【先行技術文献】
【特許文献】
【０００３】
【特許文献１】特許第４１９７３０１号公報
【発明の概要】
【発明が解決しようとする課題】
【０００４】
しかしながら、従来の場合、第二断熱外壁に隣接して第二冷却室が配置される構成であるので、断熱性能を向上させた断熱窓サッシの外観を確認することができない。通常、窓の断熱リフォームを検討する際には、断熱性能だけでなく、リフォーム後の窓の内観および外観も重要な要素となっている。それにもかかわらず、従来では、リフォームを行う際の重要な要素である外観を確認することができず、リフォームを検討している側に与える情報が少ないものとなっているので、この点で改善の余地がある。
【０００５】
本発明は、このような問題に鑑みてなされたものであり、その主たる目的は、窓の断熱性能を確認することができるだけでなく、リフォーム後の窓の内観および外観を容易に確認することができる窓の断熱性能展示設備を提供することにある。
【課題を解決するための手段】
【０００６】
上記目的を達成するための本発明に係る窓の断熱性能展示設備は、外壁に断熱性能の異なる複数の窓が設けられ、冷却手段により内部が冷却される低温度室と、前記低温度室に隣接して配置され、断熱性能の異なる前記複数の窓の内、断熱性能を向上させるリフォームを行った断熱窓が設けられた板状の展示体とを備え、前記展示体には、二つの同一の前記断熱窓が設けられており、二つの同一の前記断熱窓の内、一方の断熱窓は、建物に設置された際の屋内側が前記展示体の一方の板面側に配置され、建物に設置された際の屋外側が前記展示体の他方の板面側に配置され、これとは逆に、他方の断熱窓は、建物に設置された際の屋内側が前記展示体の他方の板面側に配置され、建物に設置された際の屋外側が前記展示体の一方の板面側に配置されることを特徴とする。
【０００７】
また、本発明に係る窓の断熱性能展示設備は、二つの同一の前記断熱窓の双方において、窓枠の上枠および下枠は、窓に対して交差する方向に切断されて断面が露出していることを特徴とする。
【０００８】
さらに、本発明に係る窓の断熱性能展示設備は、断熱性能の異なる前記複数の窓は、引違い窓とされており、前記複数の窓の内、前記断熱窓とは異なる一つは、引違い窓の一方の障子と他方の障子とで断熱性能が異なっていることを特徴とする。
【発明の効果】
【０００９】
本発明に係る窓の断熱性能展示設備によれば、低温度室の外壁に断熱性能の異なる複数の窓が設けられるので、それぞれの窓の断熱性能を確認することができる。また、低温度室の外壁に設けられる複数の窓の内、断熱性能を向上させるリフォームを行った断熱窓が板状の展示体に設けられる。ここで、展示体には、二つの同一の断熱窓が設けられる。一方の断熱窓は、建物に設置された際に屋内側に配置される側が展示体の一方の板面側に配置されると共に、建物に設置された際に屋外側に配置される側が展示体の他方の板面側に配置される。これとは逆に、他方の断熱窓は、建物に設置された際に屋内側に配置される側が展示体の他方の板面側に配置されると共に、建物に設置された際に屋外側に配置される側が展示体の一方の板面側に配置される。従って、一方の断熱窓と他方の断熱窓とが逆向きに展示体に隣接して設けられるので、展示体の一方の板面側または他方の板面側から、リフォーム後の断熱性能が向上した断熱窓の内観および外観を一望することができる。
【００１０】
また、本発明に係る窓の断熱性能展示設備によれば、二つの断熱窓それぞれの窓枠の上枠および下枠が切断されて断面が露出した状態とされているので、リフォーム後の窓の窓枠の構造を容易に確認することができる。
【００１１】
さらに、本発明に係る窓の断熱性能展示設備によれば、引違い窓である複数の窓の内、断熱窓とは異なる引違い窓は、一方の障子と他方の障子とで断熱性能が異なって形成されている。従って、一つの窓に断熱性能の異なる状態を構成できるので、コンパクトな構成の低温度室で、より多くの断熱性能の異なる窓を展示することができる。
【図面の簡単な説明】
【００１２】
【図１】本発明の窓の断熱性能展示設備の一実施例を示す概略斜視図である。
【図２】図１の窓の断熱性能展示設備の展示体に設けられる二つの同一の断熱窓の内、一方の断熱窓の下端部を示す概略斜視図である。
【図３】図１の窓の断熱性能展示設備の展示体に設けられる二つの同一の断熱窓の内、一方の断熱窓の上端部を示す概略斜視図である。
【図４】図１の窓の断熱性能展示設備の展示体に設けられる二つの同一の断熱窓の内、他方の断熱窓の下端部を示す概略斜視図である。
【図５】図１の窓の断熱性能展示設備の展示体に設けられる二つの同一の断熱窓の内、他方の断熱窓の上端部を示す概略斜視図である。
【図６】図１の窓の断熱性能展示設備が展示施設内に設置された状態を示す概略平面図である。
【発明を実施するための形態】
【００１３】
以下、本発明の窓の断熱性能展示設備の具体的実施例を図面に基づいて詳細に説明する。
【００１４】
図１は、本発明の窓の断熱性能展示設備の一実施例を示す概略斜視図である。本実施例の窓の断熱性能展示設備１は、住宅の窓のリフォーム前後の性能の違いを比較するものであり、展示施設内の任意の位置に配置される。本実施例の窓の断熱性能展示設備１は、断熱性能の異なる複数の窓２が設けられる低温度室３と、低温度室３に隣接して配置される窓２の展示体４とを備える。
【００１５】
低温度室３は、略矩形の中空ボックス状に形成されている。低温度室３の内部空間は、冷却手段により冬季の温度に冷却され、これにより、低温度室３内に冬の外気の状態を実現することができる。たとえば、低温度室３内は、冷却手段により約９℃の低温とされる。冷却手段は、その構成を特に問わず、低温度室３内を冬場の外気の温度に冷却できるものであればよい。低温度室３の前方の外壁５には、断熱性能の異なる三つの窓２が設けられる。三つの窓２は、引違い窓とされており、左右方向へ互いに離隔して配置される。この際、三つの窓２は、建物（たとえば住宅）に設置された際に屋内側に配置される側が低温度室３の外側に配置される一方、建物に設置された際に屋外側に配置される側が低温度室３の内側に配置される。すなわち、建物に設置された際の内観が外部に露出される。
【００１６】
低温度室３の三つの窓２の内、右側に配置される引違い窓２ａは、低温度室３の外壁５に形成された開口部に設けられる。開口部の屋外側には、窓額縁６が枠状に設けられて、窓額縁６が外部へ露出している。引違い窓２ａは、前記開口部の屋内側に枠状に設けられるアルミ製の窓枠７に、二つの障子８，８が左右へスライド可能に設けられて構成される。本実施例では、引違い窓２ａの一方の障子８ａと他方の障子８ｂとで断熱性能が異なっている。具体的には、一方の障子８ａは、アルミ製の枠状の框９に設けられる面材１０が単板ガラスとされ、他方の障子８ｂは、アルミ製の枠状の框９に設けられる面材１０がペアガラスとされる。
【００１７】
低温度室３の三つの窓２の内、左側に配置される引違い窓２ｂは、既存の窓に新たに内窓１１が設けられて二重窓とされる。既存の窓は、右側に配置される引違い窓２ａと同様に、低温度室３の外壁５に形成された開口部に設けられ、その開口部の屋外側には、窓額縁が枠状に設けられる。既存の窓は、窓枠が右側に配置される引違い窓２ａと同様に構成され、二つの障子が右側に配置される引違い窓２ａの一方の障子と同様に構成される。内窓１１は、既存の窓の窓額縁に新たに樹脂製の窓枠１２が枠状に設けられ、その窓枠１２に二つの新たな障子１３，１３が左右へスライド可能に設けられて構成される。ここで、二つの障子１３，１３はそれぞれ、枠状の框１４が樹脂製とされ、框１４に設けられる面材１５がペアガラスとされる。なお、枠状の窓額縁の屋外側には、樹脂製のふかし枠１６が枠状に設けられる。
【００１８】
低温度室３の三つの窓２の内、中央に配置される引違い窓２ｃは、断熱性能を向上させるリフォームを行った断熱窓とされる。この断熱窓２ｃは、板状の展示体４に設けられる。展示体４は、低温度室３の左側前方に、板面を左右に向けて配置される。展示体４には、二つの同一構成の断熱窓２ｃが前後に離隔して設けられて展示される。この際、二つの同一の断熱窓２ｃ，２ｃの内、後側に配置される一方の断熱窓２ｃは、建物に設置された際の屋内側が展示体４の右方の板面側に配置され、建物に設置された際の屋外側が展示体４の左方の板面側に配置される。これとは逆に、前側に配置される他方の断熱窓２ｃは、建物に設置された際の屋内側が展示体４の左方の板面側に配置され、建物に設置された際の屋外側が展示体４の右方の板面側に配置される。
【００１９】
図２から図５は、本実施例の窓の断熱性能展示設備の展示体に設けられる二つの同一の断熱窓を示す概略図であり、図２は一方の断熱窓の下端部を示す概略斜視図、図３は一方の断熱窓の上端部を示す概略斜視図、図４は他方の断熱窓の下端部を示す概略斜視図、図５は他方の断熱窓の上端部を示す概略斜視図である。断熱窓２ｃは、既存の窓をリフォームしたものであり、具体的には、既存の窓の二つの障子が取り外され、既存の窓の窓枠が残された状態で、新たな窓枠１７と新たな障子１８とが設けられる。
【００２０】
既存の窓は、右側に配置される引違い窓２ａと同様に、低温度室３の外壁５に形成された開口部に設けられ、その開口部の屋外側には、窓額縁６が枠状に設けられる。既存の窓は、窓枠７が右側に配置される引違い窓２ａと同様に構成され、二つの障子が右側に配置される引違い窓２ａの一方の障子と同様に構成される。この既存の窓の二つの障子が取り外されて、新たな二つの障子１８，１８が取り付けられる。新たな二つの障子１８，１８は、枠状の框１９に設けられる面材２０がペアガラスとされ、窓額縁６および既存の窓の窓枠７に枠状に設けられる新たな窓枠１７に左右へスライド可能に設けられる。
【００２１】
本実施例では、新たな窓枠１７は、低温度室３の外側（建物に設置された際の屋内側）が樹脂製とされ、低温度室３の内側（建物に設置された際の屋外側）がアルミ製とされる。典型的には、新たな窓枠１７は、低温度室３の外側に配置される樹脂製の第一片２１と、低温度室３の内側に配置されるアルミ製の第二片２２とを有している。第一片２１は、窓額縁６に設けられ、第二片２２は、既存の窓の窓枠７に設けられる。この状態において、第一片２１と第二片２２とは、互いに接続されている。また、新たな二つの障子１８，１８の框１９，１９は、低温度室３の外側が樹脂製とされ、低温度室３の内側がアルミ製とされる。典型的には、枠状の框１９は、アルミ製とされ、その屋外側（低温度室３の外側）に樹脂製のカバーが設けられる。この二つの新たな障子１８，１８は、新たな窓枠１７の第二片２２に左右にスライド可能に設けられる。なお、本実施例では、断熱窓２ｃには、建物に設置された際に屋外側に配置される見切り材３４にふかし枠３５が枠状に設けられる。
【００２２】
ところで、本実施例では、低温度室３に設けられる三つの窓２に、面材の温度を測定する温度計２３と、框の温度を測定する温度計２４とが設けられる。具体的には、右側に配置される窓２ａには、一方の障子８ａの面材の温度を測定する温度計２３、および一方の障子８ａの框の温度を測定する温度計２４が一方の障子８ａの面材の前面に設けられる。また、右側に配置される窓２ａには、他方の障子８ｂの面材の温度を測定する温度計２３、および他方の障子８ｂの框の温度を測定する温度計２４が他方の障子８ｂの面材の前面に設けられる。中央に配置される窓２ｃおよび左側に配置される窓２ｂは、一方の障子と他方の障子とが同一であるので、一方の障子の面材の温度を測定する温度計２３、および一方の障子の框の温度を測定する温度計２４が一方の障子の面材の前面に設けられる。さらに、低温度室３には、内部に低温度室３内の温度を測定する温度計が設けられ、前方の外壁５に低温度室３外部（後述する展示施設の室内）の温度を測定する温度計２５が設けられる。
【００２３】
このようにして、低温度室３には、三つの断熱性能の異なる窓２が設けられる。本実施例では、三つの窓２の内、一つの窓２ａ（右側に配置される窓）がリフォーム前の窓とされ、残りの二つの窓２ｂ，２ｃ（中央に配置される断熱窓および左側に配置される窓）が断熱性能を向上させたリフォーム後の窓とされる。また、本実施例では、断熱窓２ｃとは異なるリフォーム前の窓において、引違い窓２ａの二つの障子８，８を異ならせることで、断熱性能が異なるように構成される。
【００２４】
断熱性能の異なる複数の窓２の内、断熱性能を向上させるリフォームを行った断熱窓２ｃが展示体４に設けられる。断熱窓２ｃは、新たな窓枠１７および新たな障子１８が設けられるものであり、建物に設置された際の内観および外観がリフォーム前後で変わるものとされる。前述したように、展示体４には、後側に内観が右方の板面側に露出した断熱窓２ｃが設けられ、この断熱窓２ｃと同様の構成の断熱窓２ｃが前側に外観が右方の板面側に露出した状態で設けられる。すなわち、展示体４に設けられる二つの断熱窓２ｃ，２ｃは、同一の断熱窓の屋内側と屋外側とを反転させたものとされる。図２から図５に示されるように、展示体４に設けられる二つの同一の断熱窓２ｃ，２ｃの双方において、リフォーム後の新たな窓枠１７の上枠２６および下枠２７は、窓に対して交差する方向に切断されて断面が露出している。この断面の露出部には、それを覆うようにして透明な板材から形成されたカバー材２８が設けられる。なお、枠状のふかし枠３５の上方および下方に配置される枠部分は、切断されて断面が露出しており、その露出部を覆うようにして前記カバー材２８が配置される。
【００２５】
また、展示体４に設けられる二つの断熱窓２ｃ，２ｃそれぞれにおいて、二つの障子１８，１８の内、一方の障子１８が取り付けられていない。この一方の障子１８が取り付けられていない空箇所で、上枠２６および下枠２７が展示体４の板面に交差する方向に切断されて断面が露出している。なお、空箇所においては、窓枠１７の縦枠が設けられていない。すなわち、本実施例では、断熱窓２ｃは、その幅方向略中央部を境にして、一方側には新たな窓枠１７および新たな障子１８が設けられていない。
【００２６】
図６は、本実施例の窓の断熱性能展示設備の使用状態を示す概略平面図である。本実施例の窓の断熱性能展示設備１は、それを含む複数の展示物（住宅の構成部材や設備など）が展示される展示施設内に設置される。たとえば、図６に示されるように、本実施例の窓の断熱性能展示設備１の低温度室３は、通路２９の折り返し部に設けられる。この際、低温度室３は、複数の窓２が設けられた外壁５を通路２９に向けて配置される。また、低温度室３の床部は、展示施設の床部とされる。図示例では、低温度室３は、壁材３０と他の展示物３１とで形成された折り返し部に設置される。なお、本実施例では、展示施設は、一方の通路３２から他方の通路３３へ進んで見学するように進行方向が設定されている。
【００２７】
一方、本実施例の窓の断熱性能展示設備１の展示体４は、低温度室３の左側前方において、低温度室３に隣接して、展示施設の床部に立設される。この際、展示体４は、板面が他方の通路３３の壁材３０と対面するようにして、壁材３０に近接して配置される。すなわち、本実施例では、展示体４は、低温度室３よりも通路２９の進行方向奥側に配置される。
【００２８】
本実施例の窓の断熱性能展示設備１の場合、低温度室３に断熱性能の異なる三つの窓２が設けられるので、三つの窓２の断熱性能の違いを確認することができる。すなわち、窓２の面材や框などに触れたり、窓２の表面に付着した露の有無や量を確認することで、断熱性能の違いを確認することができる。また、本実施例では、窓２に設けられた温度計２３，２４に表示された温度を確認することで、断熱性能の違いを確認することができる。また、本実施例の窓の断熱性能展示設備１の場合、二つの同一の断熱窓２ｃ，２ｃであり、それぞれが互いに屋内側と屋外側とを反転させたものが展示体４に設けられるので、他方の通路３３から、断熱窓２ｃの内観および外観を一望することができる。
【００２９】
また、本実施例の窓の断熱性能展示設備１の場合、展示体４に設けられる断熱窓２ｃそれぞれにおいて、新たに設けられる窓枠１７の上枠２６および下枠２７の断面が露出しているので、リフォーム後の窓の構造を容易に確認することができる。また、本実施例の窓の断熱性能展示設備１の場合、右側に配置される引違い窓２ａにおいて、一方の障子８ａの面材１０と他方の障子８ｂの面材１０とが異なるので、一つの窓において断熱性能を異ならせることができる。従って、低温度室３への窓の設置数を少なくすることができ、低温度室３をコンパクトな構成とすることができる。
【００３０】
また、本実施例の窓の断熱性能展示設備１の場合、低温度室３が展示施設内の通路２９の折り返し部に配置されるので、通常の通路幅よりも広い折り返し部を有効に活用することができる。また、本実施例の窓の断熱性能展示設備１の場合、見学者の進行方向の手前側に低温度室３が配置され、進行方向奥側に展示体４が配置される。従って、見学者は、リフォーム後の窓の断熱性能を確認後、そのリフォーム後の窓の構造を確認することができ、窓の断熱リフォームの重要性を容易に理解することができる。
【００３１】
さらに、本実施例の窓の断熱性能展示設備１の場合、展示体４には屋内外を反転させた二つの断熱窓２ｃ，２ｃが設けられるので、展示体４を壁材３０に近接して配置することができる。展示体４に断熱窓が一つしか設けられていない場合、通路３３からは、通路３３側に露出した側しか見学することができず、窓のもう一方側を見学するには、展示体４の裏側にまわる必要があった。すなわち、展示体４と壁材３０との間に見学者が入ることができるスペースが必要であった。しかしながら、本実施例では、通路３３から内観および外観を見学することができるので、展示体４と壁材３０との間に見学者のスペースを設ける必要がない。
【００３２】
本発明の窓の断熱性能展示設備は、前記実施例の構成に限らず、適宜変更可能である。たとえば、前記実施例では、低温度室３に断熱性能の異なる三つの窓２が設けられたが、これに限定されるものではなく、二つであってもよいし、四つ以上であってもよい。この際、リフォーム前の窓とリフォーム後の窓とが設けられていればよい。また、前記実施例では、断熱性能の異なる複数の窓２は、引違い窓とされたが、たとえば、滑り窓や嵌め殺し窓などであってもよい。さらに、リフォーム後の窓の構成は、適宜に変更可能である。
【産業上の利用可能性】
【００３３】
本発明の窓の断熱性能展示設備は、リフォーム前後の窓の断熱性能および構造を展示する際に好適に適用される。
【符号の説明】
【００３４】
１  窓の断熱性能展示設備
２  窓
３  低温度室
４  展示体
５  外壁
８  障子
１７  窓枠
２６  上枠
２７  下枠
【図１】
2020052330.tif 000003
【図２】
2020052330.tif 000004
【図３】
2020052330.tif 000005
【図４】
2020052330.tif 000006
【図５】
2020052330.tif 000007
【図６】
2020052330.tif 000008